(57)【要約】【課題】バネなどの付勢手段の反力によるカバーの変形を抑制できる、画像読取装置を提供する。【解決手段】反転ローラ５６等を支持する下カバー２には、搬送経路４１を覆う第三上カバー５が取り付けられている。第三上カバー５は、その左端部に設定された回動軸線Ｒを中心に、下カバー２に対して開いた開放位置と閉じた閉鎖位置との間で回動可能に設けられている。第一係合片７６，７７および第一被係合片７８により、下カバー２および第三上カバー５が第三上カバー５の右端部側において連結され、第三上カバー５が閉鎖位置に保持される。また、第一係合片７６，７７および第一被係合片７８とは別の第二係合片１２１，１２２および第二被係合片１２３，１２４により、下カバー２および第三上カバー５が連結され、第三上カバー５が閉鎖位置に保持される。【選択図】図４
2015122555.tif 000002
【特許請求の範囲】
【請求項１】
シートに記録された画像を読み取る読取部と、
シートを前記読取部に向けて搬送する搬送部と、
前記搬送部を支持する第一カバーと、
一端部に設定された回動軸線を中心に前記第一カバーに対して開いた開位置と閉じた閉位置との間で回動可能に前記第一カバーに取り付けられ、前記搬送部を覆う第二カバーと、
前記第二カバーにおける他端部側において、前記第一カバーと第二カバーとを連結し、前記第二カバーを前記閉位置に保持する第一係合部と、
前記第一係合部とは別に設けられ、前記第一カバーと第二カバーとを連結し、前記第二カバーを前記閉位置に保持する第二係合部と、
前記第二カバーにおける前記回動軸線と前記第一係合部との間に設けられる受け部と
を備え、
前記搬送部は、
駆動力により回転する第一ローラと、
前記第一ローラの回転軸線と平行な第一方向に延びる回転軸線を中心に回転可能に設けられ、周面が前記第一ローラの周面と接触可能な第二ローラと、
前記第二ローラを前記第一ローラに向けて付勢する付勢手段と
を備え、
前記受け部は、前記付勢手段に生じる反力を受けるように構成され、
前記第二係合部は、前記搬送部によるシートの搬送方向における前記回動軸線と前記第一係合部との間であって、前記回動軸線または前記第一係合部よりも前記受け部に近い位置に設けられ、前記第二カバーに対して前記反力と逆向きの力を付与する、画像読取装置。
【請求項２】
請求項１に記載の画像読取装置であって、
前記搬送部は、前記第一カバーと前記閉位置に位置する前記第二カバーとの間に配置され、
前記第二係合部は、
前記第一カバーおよび前記第二カバーの一方に設けられ、その他方に向けて延出する係合片と、
前記第一カバーおよび前記第二カバーの他方に設けられ、前記閉位置において、前記係合片と係合する被係合片と
を備える、画像読取装置。
【請求項３】
請求項２に記載の画像読取装置であって、
前記係合片は、前記被係合片に当接可能な当接面を有し、
前記被係合片は、前記当接面に対向する対向面を有し、
前記第二カバーが前記閉位置にある場合に、前記当接面から前記被係合片の前記対向面に向かう方向に、前記係合片を弾性的に付勢する弾性部材を備える、画像読取装置。
【請求項４】
請求項３に記載の画像読取装置であって、
前記弾性部材は、前記係合片と前記被係合片とが係合していない状態において、前記係合片を所定の力で付勢し、
前記係合片は、前記被係合片と係合していない状態において、所定の位置より付勢方向に移動しないように構成される、画像読取装置。
【請求項５】
請求項２〜４のいずれか一項に記載の画像読取装置であって、
前記係合片は、前記第一カバーおよび前記第二カバーの一方に揺動可能に支持されている、画像読取装置。
【請求項６】
請求項１〜５のいずれか一項に記載の画像読取装置であって、
前記付勢手段は、前記第一方向に間隔を空けて複数配置され、
前記第二係合部は、前記第一方向において、最も外側に位置する前記付勢手段の外側に配置されている、画像読取装置。
【請求項７】
請求項１〜６のいずれか一項に記載の画像読取装置であって、
前記第二係合部は、前記搬送方向において、少なくとも一部が前記受け部と重なる位置に配置されている、画像読取装置。
【請求項８】
請求項１〜７のいずれか一項に記載の画像読取装置であって、
前記付勢手段は、巻バネであり、前記第二カバーが前記閉位置に位置する状態において、一端部が前記第二ローラの回転軸に当接し、他端部が前記第一カバーに当接し、巻回部が前記受け部に当接する、画像読取装置。
【請求項９】
請求項８に記載の画像読取装置であって、
前記付勢手段は、前記第二カバーが前記開位置に位置する状態において、前記他端部が前記第一カバーから離間して前記第二カバーに当接する、画像形成装置。
【請求項１０】
請求項１〜９のいずれか一項に記載の画像読取装置であって、
前記受け部と前記付勢手段との間に介在される板金部材を備える、画像読取装置。
【請求項１１】
請求項１〜１０のいずれか一項に記載の画像読取装置であって、
前記第一カバーに設けられ、前記第一方向に延びる補強部材を備え、
前記補強部材は、前記搬送方向において、少なくとも一部が前記第二係合部と重なる位置に配置されている、画像読取装置。
【請求項１２】
請求項１１に記載の画像読取装置であって、
前記補強部材は、前記第一方向および前記搬送方向の両方に直交する方向に延びる延部を有し、
前記延部には、前記搬送方向に貫通する貫通孔が形成されており、
前記第一カバーは、前記貫通孔に挿通される挿通部を備える、画像読取装置。
【発明の詳細な説明】
【技術分野】
【０００１】
本発明は、画像読取装置に関する。
【背景技術】
【０００２】
たとえば、特許文献１には、画像読取装置に関する構成として、本体に対して開閉可能に設けられたカバーを閉じた状態に保持するためのロック機構が開示されている。このロック機構では、カバーにロックレバーが設けられ、ロックレバーが本体に形成された係合部に係合することにより、カバーが本体に対して閉じられた状態に保持される。
【先行技術文献】
【特許文献】
【０００３】
【特許文献１】特開２００２−３５９４８０号公報
【発明の概要】
【発明が解決しようとする課題】
【０００４】
画像読取装置では、樹脂製のカバーにより覆われる本体内に、原稿の画像を読み取るイメージセンサ、原稿を搬送するためのローラおよびローラを付勢するバネなどが複雑に配置される。最近では、装置の小型化、薄型化のために、狭いスペースに上記の各種部品を配置する必要があり、例えばバネがカバーの内面に当接するように配置されることがある。この場合、バネの弾性力（バネが部材を付勢することにより当該バネに生じる反力）がカバーに加わり、カバーが変形するおそれがある。
【０００５】
本発明の目的は、バネなどの付勢手段の反力によるカバーの変形を抑制できる、画像読取装置を提供することである。
【課題を解決するための手段】
【０００６】
前記の目的を達成するため、本発明に係る画像読取装置は、シートに記録された画像を読み取る読取部と、シートを読取部に向けて搬送する搬送部と、搬送部を支持する第一カバーと、一端部に設定された回動軸線を中心に第一カバーに対して開いた開位置と閉じた閉位置との間で回動可能に前記第一カバーに取り付けられ、搬送部を覆う第二カバーと、第二カバーにおける他端部側において、第一カバーと第二カバーとを連結し、第二カバーを閉位置に保持する第一係合部と、第一係合部とは別に設けられ、第一カバーと第二カバーとを連結し、第二カバーを閉位置に保持する第二係合部と、第二カバーにおける回動軸線と第一係合部との間に設けられる受け部とを備え、搬送部は、駆動力により回転する第一ローラと、第一ローラの回転軸線と平行な第一方向に延びる回転軸線を中心に回転可能に設けられ、周面が前記第一ローラの周面と接触可能な第二ローラと、第二ローラを第一ローラに向けて付勢する付勢手段とを備え、受け部は、付勢手段に生じる反力を受けるように構成され、第二係合部は、搬送部によるシートの搬送方向における回動軸線と第一係合部との間であって、回動軸線または第一係合部よりも受け部に近い位置に設けられ、第二カバーに対して反力と逆向きの力を付与する。
【０００７】
この構成によれば、搬送部を支持する第一カバーには、搬送部を覆う第二カバーが取り付けられている。第二カバーは、その一端部に設定された回動軸線を中心に、第一カバーに対して開いた開位置と閉じた閉位置との間で回動可能に設けられている。第一係合部により、第一カバーおよび第二カバーが第二カバーの他端部側において連結され、第二カバーが閉位置に保持される。また、第一係合部とは別の第二係合部により、第一カバーおよび第二カバーが連結され、第二カバーが閉位置に保持される。
【０００８】
搬送部は、第一ローラ、第二ローラおよび付勢手段を備えている。第一ローラおよび第二ローラは、互いに平行をなす回動軸線を中心に回転可能に設けられている。第一ローラには、駆動力が入力される。第二ローラは、その周面が第一ローラの周面に接触可能なように設けられ、付勢手段により第一ローラに向けて付勢されている。
【０００９】
付勢手段に生じる反力を受けるために、受け部が第二カバーの回動軸線と第一係合部との間に設けられている。そして、第二係合部は、第二カバーの回動軸線または第一係合部の少なくとも一方よりも受け部に近い位置において、第二カバーに対して付勢手段に生じる反力と逆向きの力を付与している。これにより、付勢手段の反力が受け部を介して第二カバーに加わっても、第二カバーにおける受け部に近い部分が当該反力の向きと逆向きに引っ張られるので、第二カバーの変形を抑制できる。
【００１０】
第二係合部は、第一カバーおよび第二カバーの一方に設けられ、その他方に向けて延出する係合片と、第一カバーおよび第二カバーの他方に設けられ、閉位置において、係合片と係合する被係合片とを備えていてもよい。
【００１１】
この構成によれば、係合片と被係合片との係合により、第二カバーを閉位置に保持することができる。
【００１２】
係合片は、被係合片に当接可能な当接面を有し、被係合片は、当接面に対向する対向面を有し、第二カバーが閉位置にある場合に、当接面から被係合片の対向面に向かう方向に、係合片を弾性的に付勢する弾性部材を備えていてもよい。
【００１３】
この構成によれば、第二カバーが閉位置に位置する状態において、弾性部材により、係合片が当接面から被係合片の対向面に向かう方向に弾性的に付勢される。これにより、係合片の当接面と被係合片の対向面とを弾性的に当接させることができる。その結果、係合片と被係合片との係合状態を良好に維持することができ、第二カバーを閉位置に良好に保持することができる。
【００１４】
たとえば、係合片と被係合片とが係合したときに、係合片が弾性変形し、係合片と被係合片との係合が解除されたときに、係合片が復元するように、係合片が弾性変形可能に構成されていれば、弾性部材が設けられていなくても、係合片に生じる弾性力により、係合片の当接面と被係合片の対向面とを当接させることができる。しかしながら、その構成では、係合片と被係合片との係合およびその解除が繰り返されるうちに、係合片が塑性変形して、係合片に生じる弾性力が弱まるために、係合片と被係合片との係合状態が良好に維持されなくなるおそれがある。これに対し、弾性部材を設けた構成では、長期間にわたり、係合片と被係合片との係合状態を良好に維持することができる。
【００１５】
弾性部材は、係合片と被係合片とが係合していない状態において、係合片を所定の力で付勢し、係合片は、被係合片と係合していない状態において、所定の位置より付勢方向に移動しないように構成されていてもよい。
【００１６】
この構成によれば、係合片と被係合片とが係合していない状態において、係合片が所定の位置に位置する。そのため、第二カバーが開位置から閉位置に移動されるときに、係合片と被係合片とを良好に当接させることができる。そして、係合片と被係合片との当接の直後から、弾性部材の弾性力を係合片と被係合片との係合に作用させることができる。その結果、係合片と被係合片とを良好に係合させることができる。
【００１７】
係合片は、第一カバーおよび第二カバーの一方に揺動可能に支持されていてもよい。
【００１８】
この構成によれば、係合片の揺動によって、係合片と被係合片とが係合し、また、その係合が解除される。そのため、係合片と被係合片との係合およびその解除に伴って、係合片の弾性変形および復元が繰り返されることを抑制できる。その結果、係合片の塑性変形、ひいては疲労による破壊を抑制できる。
【００１９】
付勢手段は、第一方向に間隔を空けて複数配置され、第二係合部は、第一方向において、最も外側に位置する付勢手段の外側に配置されていてもよい。
【００２０】
この場合、第二係合部により、複数の付勢手段から受け部を介して第二カバーに加わる反力を統括的に受けることができる。その結果、第二カバーの変形を効果的に抑制することができる。
【００２１】
第二係合部は、搬送方向において、少なくとも一部が受け部と重なる位置に配置されていてもよい。
【００２２】
この構成によれば、第二カバーが搬送方向の中央部において付勢手段の反力の方向に凸湾曲する変形を効果的に抑制することができる。
【００２３】
付勢手段は、巻バネであってもよい。この場合、第二カバーが閉位置に位置する状態において、付勢手段の一端部が第二ローラの回転軸に当接し、他端部が第一カバーに当接し、巻回部が受け部に当接していてもよい。
【００２４】
この構成によれば、付勢手段の一端部により、第二ローラの回転軸を付勢することができる。
【００２５】
付勢手段が巻バネである場合、第二カバーが開位置に位置する状態において、付勢手段の他端部が第一カバーから離間して第二カバーに当接することが好ましい。
【００２６】
この構成によれば、第二カバーが開位置に位置する状態において、付勢手段の他端部が自由な状態になることを抑制でき、付勢手段の他端部を一定の位置に位置させることができる。一方、第二カバーが閉位置に位置する状態では、付勢手段の他端部が第一カバーに当接するので、付勢手段の他端部から第二カバーに力が加わることを抑制できる。これにより、付勢手段の他端部が第二カバーに常に当接している構成と比較して、付勢手段の他端部から第二カバーに加えられる力による第二カバーの変形を抑制することができる。
【００２７】
板金部材が受け部と付勢手段との間に介在されてもよい。
【００２８】
板金部材は、剛性を有するので、付勢手段からの反力による第二カバーの変形を一層抑制することができる。また、付勢手段と第二係合部とがシートの搬送方向と交差する方向に離れていても、板金部材がその方向に長く形成されることにより、第二カバーの変形を良好に抑制することができる。
【００２９】
補強部材が第一カバーに設けられていてもよい。この場合、補強部材は、第一方向に延び、少なくとも一部が搬送方向において第二係合部と重なる位置に配置されていることが好ましい。
【００３０】
この構成によれば、第二係合部を第一カバーにおける補強部材により強度が増した部分に設けることができる。これにより、第二係合部を安定した状態に設けることができる。
【００３１】
補強部材は、第一方向および搬送方向の両方に直交する方向に延びる延部を有し、延部には、搬送方向に貫通する貫通孔が形成されており、第一カバーは、貫通孔に挿通される挿通部を備えていてもよい。
【００３２】
この構成によれば、第二係合部から第一カバーに加わる力を補強部材で受けることができる。その結果、第二係合部から第一カバーに加わる力による第一カバーの変形を抑制することができる。
【発明の効果】
【００３３】
本発明によれば、付勢手段の反力による第二カバーの変形を抑制することができる。
【図面の簡単な説明】
【００３４】
【図１】本発明の一実施形態に係る画像読取装置の斜視図であり、第一上カバーが閉鎖位置に位置する状態を示す。
【図２】画像読取装置の斜視図であり、第一上カバーが開放位置に位置する状態を示す。
【図３】画像読取装置の中央断面図である。
【図４】画像読取装置の左端部を前側の第二係合片の位置で左右方向に延びる切断面で切断したときの断面図であり、第三上カバーが閉鎖位置に位置する状態を示す。
【図５】画像読取装置の左端部を前側の第二係合片の位置で左右方向に延びる切断面で切断したときの断面図であり、第三上カバーが開鎖位置に位置する状態を示す。
【図６】下カバーの斜視図の左端部の斜視図であり、第三上カバーおよび係合片が取り外された状態の上面側を示す。
【図７】下カバーの斜視図の左端部の斜視図であり、第三上カバーが取り外された状態の上面側を示す。
【図８】第三上カバーの斜視図であり、下面側の構成を示す。
【図９】画像読取装置を第二係合片の位置で前後方向に延びる切断面で切断したときの断面図であり、左端部における前後方向の断面を示す。
【図１０】係合片の斜視図である。
【図１１】他の実施形態に係る係合片および巻バネの斜視図である。
【図１２】他の実施形態に係る係合片および巻バネの断面図である。
【図１３】他の実施形態に係る巻バネの斜視図である。
【図１４】他の実施形態に係る係合片および巻バネの斜視図であり、係合片が押圧された状態を示す。
【図１５】他の実施形態に係る係合片および巻バネの断面図であり、係合片が押圧された状態を示す。
【発明を実施するための形態】
【００３５】
以下では、本発明の実施の形態について、添付図面を参照しつつ詳細に説明する。
【００３６】
＜全体構成＞
【００３７】
図１、図２および図３に示されるように、画像読取装置１は、下カバー２、第一上カバー３、第二上カバー４および第三上カバー５を備える。下カバー２、第一上カバー３、第二上カバー４および第三上カバー５は、樹脂からなる。第一上カバー３、第二上カバー４および第三上カバー５は、下カバー２により下側から支持されて、左右方向に互いに隣接している。
【００３８】
なお、下カバー２に対して第一上カバー３、第二上カバー４および第三上カバー５が設けられている側を上側とし、第一上カバー３に対して第二上カバー４が設けられている側を右側として、上下、左右および前後の各方向を規定する。そして、図１以降の各図では、矢印で方向を表示する。
【００３９】
第一上カバー３は、下カバー２の左右方向の中央に対して右側に偏った位置に配置されている。第一上カバー３は、図１に示される閉鎖位置と図２に示される開放位置との間で変位可能に設けられている。第一上カバー３は、図１に示されるように、閉鎖位置において、下カバー２の上端に沿って延び、下カバー２の上面を覆う上面カバーの一部を構成する。また、第一上カバー３は、図２に示されるように、開放位置において、下カバー２から右上がりに傾斜して延出する。
【００４０】
第二上カバー４は、第一上カバー３の右側に配置されている。第二上カバー４は、図１に示される上位置と図２に示される下位置とに変位可能に設けられている。第二上カバー４は、図１に示されるように、上位置において、下カバー２の上端に沿って延び、下カバー２の上面を覆う上面カバーの一部を構成する。また、第二上カバー４は、図２に示されるように、下位置において、下カバー２の上部から左下がりに傾斜し、開放位置に位置する第一上カバー３の下端側と略平行をなす位置関係となる。
【００４１】
第三上カバー５は、第一上カバー３の左側に配置されている。第三上カバー５は、その左端部において前後方向に延びる回動軸線Ｒを中心に、図４に示される閉鎖位置と図５に示される開放位置とに回動可能に設けられている。第三上カバー５は、図１、図２および図４に示されるように、閉鎖位置において、下カバー２の上端に沿って延び、下カバー２の上面を覆う上面カバーの一部を構成する。第一上カバー３が閉鎖位置に位置し、第二上カバー４が上位置に位置し、第三上カバー５が閉鎖位置に位置する状態において、第一上カバー３の上面６、第二上カバー４の上面７および第三上カバー５の上面８は、同一平面内に含まれ、平坦な装置上面を形成する。また、第三上カバー５は、図５に示されるように、開放位置において、下カバー２の左上端縁から右上がりに傾斜して延出する。
【００４２】
下カバー２内には、図３に示されるように、給紙積載部１１および排紙積載部１２が設けられている。給紙積載部１１および排紙積載部１２は、閉鎖位置に位置する第一上カバー３の下方において、上下２段に構成されている。
【００４３】
給紙積載部１１は、図２に示されるように、第一上カバー３が閉鎖位置から開放位置に変位されることにより露出する給紙積載面１３を有している。給紙積載面１３には、平面部１４および傾斜部１５が含まれる。平面部１４は、装置上面８よりも凹んだ面であり、下カバー２の上端よりも低い位置において、前後方向および左右方向に延びる略平面に形成されている。傾斜部１５は、平面部１４から右上がりに傾斜して延びている。傾斜部１５の前後方向の中央部には、切欠１６が形成されている。傾斜部１５は、切欠１６により、前傾斜部１７および後傾斜部１８に分割されている。前傾斜部１７と後傾斜部１８とは、前後方向に同じ幅を有している。前傾斜部１７および後傾斜部１８の右端部は、図３に示されるように、傾斜角度が小さくなるように湾曲している。図３では、後傾斜部１８のみを示すが、前傾斜部１７も同様の形状である。
【００４４】
給紙積載部１１には、図２に示されるように、給紙積載面１３の左側に、１対の給紙ガイド１９，２０が前後方向に互いに間隔を空けて設けられている。１対の給紙ガイド１９，２０は、それらの間の中央を基準として、互いに同じ移動量で近接および離間可能に構成されている。
【００４５】
排紙積載部１２は、図３に示されるように、給紙積載部１１の下方に位置している。排紙積載部１２は、排紙積載面２１を有している。排紙積載面２１は、給紙積載部１１の下方に間隔を空けて、前後方向および左右方向に延びている。排紙積載面２１の右端部２２は、給紙積載面１３の傾斜部１５と略平行をなすように右上がりに傾斜している。
【００４６】
第一上カバー３は、上面６と反対側に、排紙支持面３１を有している。図２に示されるように、第一上カバー３が開放位置に位置する状態において、排紙支持面３１の左前端部および左後端部となる位置には、それぞれ排紙ガイド部３２，３３が設けられている。排紙ガイド部３２，３３は、排紙支持面３１と一体に形成されることにより、排紙支持面３１に固定的に配置されている。排紙ガイド部３２，３３は、排紙支持面３１から起立し、左右方向に延びている。
【００４７】
排紙ガイド部３２，３３により、それぞれ給紙支持部３４，３５が支持されている。給紙支持部３４，３５は、第一上カバー３と異なる色に着色されている。給紙支持部３４，３５は、前後方向に前傾斜部１７および後傾斜部１８と同じ幅を有する板状に形成されている。前側の給紙支持部３４は、排紙ガイド部３２の上端に支持され、後側に向けて、排紙支持面３１と略平行をなして延びている。後側の給紙支持部３５は、排紙ガイド部３３の上端に支持され、前側に向けて、排紙支持面３１と略平行をなして延びている。
【００４８】
第一上カバー３が開放位置に位置する状態において、給紙支持部３４，３５は、それぞれ前傾斜部１７および後傾斜部１８の右側に位置する。そして、給紙支持部３４，３５は、それぞれ前傾斜部１７および後傾斜部１８と略同一方向に傾斜する。給紙支持部３５の左端部は、図３に示されるように、後傾斜部１８の右端部よりも高い位置に配置される。同様に、給紙支持部３４の左端部は、前傾斜部１７の右端部よりも高い位置に配置される。また、第一上カバー３が開放位置に位置する状態において、排紙支持面３１の左端部は、排紙積載面２１の右端部よりも低い位置に配置される。
【００４９】
下カバー２内には、図３に示されるように、給紙積載部１１および排紙積載部１２の左側に、シートＳが搬送される搬送経路４１が空間として設けられている。搬送経路４１は、相対的に上側に位置する上経路４２と、相対的に下側に位置する下経路４３と、上経路４２および下経路４３の左側に設けられ、上経路４２と下経路４３とを接続する湾曲経路４４とを含む。なお、搬送経路４１は、原稿を搬送するための後述する搬送部を構成する各種ローラや、そのローラ間に位置するガイド面によって規定される。
【００５０】
搬送経路４１に沿って、１対の供給ローラ５１、分離ローラ５２、分離片５３、１対の搬送ローラ５４、イメージセンサモジュール５５、反転ローラ５６、従動ローラ５７，５８および１対の排出ローラ５９が設けられている。
【００５１】
１対の供給ローラ５１は、上経路４２の入口に配置されている。上経路４２の入口は、給紙積載部１１の左側に形成されている。一方の供給ローラ５１は、相対的に上側に位置し、前後方向に延びる回動軸線まわりに回動可能に設けられている。他方の供給ローラ５１は、相対的に下側に位置し、前後方向に延びる回動軸線まわりに回動可能に設けられている。上側の供給ローラ５１の周面と下側の供給ローラ５１の周面とは、互いに当接しており、その当接する部分が、上経路４２の一部を規定している。
【００５２】
分離ローラ５２は、上側の供給ローラ５１の左側に配置され、前後方向に延びる回動軸線まわりに回動可能に設けられている。
【００５３】
分離片５３は、分離ローラ５２の下側に配置されている。分離片５３は、分離ローラ５２の周面に下側から当接しており、その当接する部分が、上経路４２の一部を規定している。
【００５４】
１対の搬送ローラ５４は、分離ローラ５２の左側に配置されている。一方の搬送ローラ５４は、相対的に上側に位置し、前後方向に延びる回動軸線まわりに回動可能に設けられている。他方の搬送ローラ５４は、相対的に下側に位置し、前後方向に延びる回動軸線まわりに回動可能に設けられている。上側の搬送ローラ５４の周面と下側の搬送ローラ５４の周面とは、互いに当接しており、その当接する部分が、上経路４２の一部を規定している。
【００５５】
イメージセンサモジュール５５は、下側の搬送ローラ５４の左側に配置されている。イメージセンサモジュール５５の内部には、たとえば、光源、レンズおよびイメージセンサなどが設けられている。イメージセンサモジュール５５の上面には、コンタクトガラス６０が設けられている。コンタクトガラス６０の上面と、そのコンタクトガラス６０の上面と対向するガイド面とが、上経路４２の一部を規定している。
【００５６】
反転ローラ５６は、イメージセンサモジュール５５の左側に配置されている。反転ローラ５６は、前後方向に延びる回動軸線まわりに回動可能に設けられている。反転ローラ５６の左側の周面と、その周面と所定の隙間を有して対向する湾曲形状のガイド面とが、湾曲経路４４の一部を規定している。
【００５７】
従動ローラ５７は、反転ローラ５６の上側に配置されている。従動ローラ５７は、前後方向に延びる回動軸線まわりに回動可能に設けられている。従動ローラ５７の周面の一部は、反転ローラ５６の周面に当接しており、その当接する部分が湾曲経路４４の一部を規定している。
【００５８】
従動ローラ５８は、反転ローラ５６の左下側に配置されている。従動ローラ５８は、前後方向に延びる回動軸線まわりに回動可能に設けられている。従動ローラ５８の周面の一部は、反転ローラ５６の周面に当接しており、その当接する部分が湾曲経路４４の一部を規定している。
【００５９】
１対の排出ローラ５９は、下経路４３の出口に配置されている。下経路４３の出口は、排紙積載部１２の左側であって、排紙積載面２１の左端部の上側に間隔を空けた位置に形成されている。一方の排出ローラ５９は、相対的に上側に位置し、前後方向に延びる回動軸線まわりに回動可能に設けられている。他方の排出ローラ５９は、相対的に下側に位置し、前後方向に延びる回動軸線まわりに回動可能に設けられている。上側の排出ローラ５９の周面と下側の排出ローラ５９の周面とは、互いに当接しており、その当接する部分が、下経路４３の一部を規定している。
【００６０】
＜画像読取動作＞
【００６１】
１対の給紙ガイド１９，２０の位置は、図２に示されるように、読取対象のシートＳの前後方向の幅に合わせて調整される。シートＳは、先端部が給紙ガイド１９，２０の間に差し込まれ、給紙積載面１３および給紙支持部３４，３５上に、それらに跨がった状態で積載される。
【００６２】
シートＳの画像の読取開始が指示されると、１対の供給ローラ５１、分離ローラ５２、分離片５３、１対の搬送ローラ５４、反転ローラ５６、従動ローラ５７，５８および１対の排出ローラ５９が駆動系（図示せず）からの駆動力により回転し始める。供給ローラ５１の回転により、供給ローラ５１からシートＳに搬送力が付与され、シートＳが上経路４２を分離ローラ５２に向けて搬送される。シートＳが分離ローラ５２と分離片５３との当接部位に到達すると、シートＳは、分離ローラ５２と分離片５３との間に引き込まれ、１枚ずつに分離される。これにより、１枚のシートＳが分離ローラ５２と分離片５３との間を通過する。
【００６３】
その後、シートＳが１対の搬送ローラ５４の当接部位に到達すると、搬送ローラ５４からシートＳに搬送力が付与され、シートＳが上経路４２をさらに下流側へ搬送される。この搬送により、シートＳは、イメージセンサモジュール５５のコンタクトガラス６０上を通過し、反転ローラ５６と従動ローラ５７との当接部位に到達する。シートＳがコンタクトガラス６０上を通過するときに、イメージセンサモジュール５５により、シートＳの一方面の画像が読み取られる。
【００６４】
シートＳが反転ローラ５６と従動ローラ５７との当接部位に到達した後は、シートＳが湾曲経路４４を搬送される。その後、シートＳは、反転ローラ５６と従動ローラ５８との間を通過し、湾曲経路４４から下経路４３に進入する。シートＳが湾曲経路４４を搬送されることにより、シートＳの搬送方向が反転される。
【００６５】
下経路４３の入口は、下カバー２の下面の一部が前後方向に開口されていることにより形成される。下カバー２は、非図示の複合機に上方から結合されている。複合機は、画像形成ユニット等を収容しており、その上面には、読取対象のシートを載置するためのコンタクトガラス６１が配置されている。コンタクトガラス６１の下方には、図中左右方向に移動可能なイメージセンサモジュール６２が配置されている。イメージセンサモジュール６２の内部には、たとえば、光源、レンズおよびイメージセンサなどが設けられている。イメージセンサモジュール６２は、搬送されるシートＳを読み取る際には、所定の停止位置に移動する。シートＳは、湾曲経路４４から下経路４３に進入する際に、コンタクトガラス６１上を経由する。そして、シートＳがコンタクトガラス６１上を通過するときに、停止位置にあるイメージセンサモジュール６２により、シートＳの他方面の画像が読み取られる。
【００６６】
シートＳの搬送が進み、シートＳが下経路４３を搬送され、１対の排出ローラ５９の当接部位に到着すると、排出ローラ５９からシートＳに搬送力が付与されて、シートＳが下経路４３の出口から排出される。
【００６７】
排出されたシートＳは、排紙積載面２１を第一上カバー３の排紙支持面３１上に向けて進行する。シートＳのサイズによっては、シートＳが排紙支持面３１上に差し掛かると、シートＳの前後方向の端縁が排紙ガイド部３２，３３に接触する。その後、排紙支持面３１上でのシートＳの進行に伴って、シートＳの前後方向の端縁が排紙ガイド部３２，３３に摺擦することにより、シートＳの向きが正されていく。シートＳが排出ローラ５９から放れると、シートＳは、排紙積載面２１および排紙支持面３１上に、それらに跨がった状態で積載される。
【００６８】
＜第三上カバーの開閉機構＞
【００６９】
下カバー２の左端部には、図６および図７に示されるように、２個の開閉軸７１，７２が設けられている。開閉軸７１，７２は、前後方向に間隔を空けて配置され、それぞれ前後方向に延びている。開閉軸７１，７２の中心線は、第三上カバー５の回動軸線Ｒと一致している。
【００７０】
第三上カバー５の左端部には、図８に示されるように、２個の軸受部７３，７４が設けられている。軸受部７３，７４は、前後方向に間隔を空けて配置され、第三上カバー５の下面（内面）７５から突出している。前側の軸受部７３は、後側に凹む凹状に形成されている。後側の軸受部７４は、前側に凹む凹状に形成されている。
【００７１】
開閉軸７１，７２が軸受部７３，７４にそれぞれ回動可能に挿入されることにより、第三上カバー５は、開閉軸７１，７２を支点として回動可能に、下カバー２に取り付けられている。
【００７２】
＜第一係合部＞
【００７３】
第三上カバー５の右端部には、図８に示されるように、２個の第一係合片７６，７７が設けられている。第一係合片７６，７７は、前後方向に間隔を空けて配置され、第三上カバー５の下面７５から下カバー２に向かって延出している。前側の第一係合片７６の先端部は、前側に膨出している。後側の第一係合片７７の先端部は、後側に膨出している。
【００７４】
下カバー２には、図４に仮想線で示されるように、第一係合片７６，７７にそれぞれ対応して、第一被係合片７８が設けられている。前側の第一係合片７６に対応する第一被係合片７８は、第一係合片７６よりも前側の位置から後側に延びている。後側の第一係合片７７に対応する第一被係合片７８は、第一係合片７６よりも後側の位置から後側に延びている。
【００７５】
第三上カバー５が図５に示される開放位置から図４に示される閉鎖位置に回動されると、その回動の途中で、第一係合片７６，７７がそれぞれ第一被係合片７８に当接する。その後、第三上カバー５がさらに回動されると、第一係合片７６，７７の先端部が第一被係合片７８から力を受けて、第一係合片７６，７７が弾性変形する。そして、第三上カバー５が閉鎖位置に達すると、第一係合片７６，７７の先端部は、第一被係合片７８の下側に潜り込み、第一被係合片７８に下側から当接する。これにより、第一係合片７６，７７と第一被係合片７８とが係合し、下カバー２と第三上カバー５とがそれらの右端部で連結され、第三上カバー５が閉鎖位置に保持される。なお、第一係合片７６，７７および第一被係合片７８により、第一係合部の一例が構成されている。
【００７６】
＜付勢機構＞
【００７７】
第三上カバー５には、図８に示されるように、３個の従動ローラ５７を反転ローラ５６（図３参照）に向けて付勢する付勢機構が設けられている。
【００７８】
３個の従動ローラ５７には、前後方向に延びる回転軸８１が相対回転可能に挿通されている。第三上カバー５には、２個の軸保持部８２，８３が前後方向に間隔を空けて配置されている。回転軸８１の前端部および後端部がそれぞれ軸保持部８２，８３に回転不能に保持されることにより、従動ローラ５７は、回転軸８１と一体回転可能に第三上カバー５に設けられている。
【００７９】
付勢機構は、２個の巻バネ９１，９２、２個の上当接部９３，９４、２個の受け部９５および板金部材９６を含む。
【００８０】
巻バネ９１，９２は、金属線材を巻回して形成され、同一の構成を有している。巻バネ９１，９２は、コイル状の巻回部１０１と、巻回部１０１から一方側に延びる一端部１０２と、巻回部１０１から他方側に延びる他端部１０３とを一体的に備えている。
【００８１】
２個の上当接部９３，９４は、第三上カバー５の下面７５の左端部において、前後方向に間隔を空けて設けられている。上当接部９３，９４は、第三上カバー５と一体的に形成され、前板部１０４、後板部１０５および下板部１０６を備えている。前板部１０４および後板部１０５は、前後方向に間隔を空けて、それぞれ第三上カバー５の下面７５から下カバー２に向かって延出している。下板部１０６は、前板部１０４および後板部１０５の各先端部（下端部）間に架設されている。
【００８２】
２個の受け部９５は、第三上カバー５の下面７５における前後方向の中央付近かつ左右方向の中央部よりも左側に片寄った位置に、前後方向に間隔を空けて、第三上カバー５と一体的に形成されている。受け部９５は、左右方向に間隔を空けて前後方向に延びる２本の突条からなる。
【００８３】
板金部材９６は、金属板を屈曲して形成されている。板金部材９６は、第三上カバー５の下面７５と平行をなして前後方向に延びる当接板部１０７と、当接板部１０７の前端から第三上カバー５の下面７５と反対側に延びる前板部１０８と、当接板部１０７の後端から第三上カバー５の下面７５と反対側に延びる後板部１０９とを一体的に備えている。当接板部１０７は、受け部９５の先端に当接している。
【００８４】
巻バネ９１，９２は、前後に間隔を空けて配置されている。前側の巻バネ９１の巻回部１０１は、板金部材９６の当接板部１０７の前端部に対して、第三上カバー５と反対側から当接している。前側の巻バネ９１の一端部１０２は、第三上カバー５の下面７５と従動ローラ５７の回転軸８１との間に進入し、回転軸８１に当接している。前側の巻バネ９１の他端部１０３は、第三上カバー５の下面７５と前側の上当接部９３の下板部１０６との間に進入している。後側の巻バネ９２の巻回部１０１は、板金部材９６の当接板部１０７の後端部に対して、第三上カバー５と反対側から当接している。後側の巻バネ９２の一端部１０２は、第三上カバー５の下面７５と従動ローラ５７の回転軸８１との間に進入し、回転軸８１に当接している。後側の巻バネ９１の他端部１０３は、第三上カバー５の下面７５と後側の上当接部９４の下板部１０６との間に進入している。
【００８５】
そして、第三上カバー５が開放位置に位置する状態において、巻バネ９１，９２は、図５に示されるように、他端部１０３がそれぞれ上当接部９３，９４の下板部１０６に当接し、自らの弾性力により、第三上カバー５に係止している。また、第三上カバー５の下面７５には、図８に示されるように、受け部９５と従動ローラ５７との間において前後方向に延びる突条１１０が形成されている。突条１１０には、２個の切込み１１１，１１２が形成されている。２個の切込み１１１，１１２は、前後方向に間隔を空けた位置において、突条１１０の先端から第三上カバー５の下面７５に向けて延びている。巻バネ９１，９２の一端部１０２がそれぞれ切込み１１１，１１２に挿通されることにより、巻バネ９１，９２が前後方向に位置決めされている。
【００８６】
＜第二係合部＞
【００８７】
画像読取装置１は、図４、図５及び図９に示されるように、２個の第二係合片１２１，１２２および２個の第二被係合片１２３，１２４を備えている。
【００８８】
下カバー２の左端部には、図６および図７に示されるように、隆起部１３１が形成されている。隆起部１３１は、下カバー２の内側底面から上方向に隆起しており、前後方向に延びている。隆起部１３１の上面１３２の高さは、第二被係合片の下端と前後方向から見て重なりを有する程度に設定されている。隆起部１３１の前端部および後端部には、それぞれ隆起部１３１の上面１３２から下側に凹んだ凹部１３３，１３４が形成されている。隆起部１３１は、図４および図５に示されるように、前側の凹部１３３の左側および右側に、それぞれ左壁部１３５および右壁部１３６を備えている。左壁部１３５および右壁部１３６は、上下方向および前後方向に延びている。左壁部１３５および右壁部１３６には、それぞれ貫通孔１３７，１３８が左右方向に貫通して形成されている。
【００８９】
なお、図示されないが、隆起部１３１は、後側の凹部１３４の左側および右側にも、それぞれ左壁部および右壁部を備えている。左壁部および右壁部は、上下方向および前後方向に延びている。この左壁部および右壁部について、以下では、前側の左壁部１３５および右壁部１３６と同一の参照符号を使用する。また、後側の左壁部１３５および右壁部１３６にも、前側の左壁部１３５および右壁部１３６と同様に、それぞれ貫通孔が左右方向に貫通して形成されている。この貫通孔についても、以下では、前側の貫通孔１３７，１３８と同一の参照符号を使用する。
【００９０】
また、隆起部１３１は、図９に示されるように、凹部１３３の後側および凹部１３４の前側に、それぞれ前延部１３９および後延部１４０を備えている。前延部１３９および後延部１４０は、隆起部１３１の上面１３２から上側に延出し、左右方向に延びている。
【００９１】
係合片の一例としての第二係合片１２１，１２２は、それぞれ凹部１３３，１３４内に配置されている。第二係合片１２１，１２２は、前後対称に構成されているので、以下では、後側の第二係合片１２２を取り上げて、その構成について説明する。また、前側の第二係合片１２１について、後側の第二係合片１２２の各部に対応する部分には、それらの各部と同一の参照符号を使用する。
【００９２】
第二係合片１２２は、図９および図１０に示されるように、左板部１４１、右板部１４２、上板部１４３、規制部１４４、被付勢部１４５および当接部１４６を一体的に備えている。
【００９３】
左板部１４１および右板部１４２は、左右方向に間隔を空けて設けられ、上下方向に延びている。左板部１４１および右板部１４２の各下端部には、図４および図５に示されるように、それぞれ左右方向の外側に突出する突起軸１４７，１４８が形成されている。
【００９４】
上板部１４３は、左板部１４１および右板部１４２の各上端間に架設されている。
【００９５】
規制部１４４は、左板部１４１および右板部１４２の各上端部の前端間に架設されている。
【００９６】
被付勢部１４５は、規制部１４４に対して後側に間隔を空けた位置において、上板部１４３の下面から下側に延びている。
【００９７】
当接部１４６は、上板部１４３の後端から後下側に延びている。当接部１４６の先端には、前下がりに傾斜する平面からなる当接面１４９が形成されている。
【００９８】
前側の第二係合片１２１の突起軸１４７，１４８は、図４および図５に示されるように、前側の凹部１３３の左側および右側に形成された貫通孔１３７，１３８に挿入されている。また、後側の第二係合片１２２の突起軸１４７，１４８は、後側の凹部１３４の左側および右側に形成された貫通孔１３７，１３８に挿入されている。これにより、第二係合片１２１，１２２は、突起軸１４７，１４８を支点に下カバー２に対して揺動可能に設けられている。
【００９９】
下カバー２の隆起部１３１における前延部１３９は、図９に示されるように、第二係合片１２１の規制部１４４と被付勢部１４５との間に進入している。そして、前延部１３９と被付勢部１４５との間には、弾性部材の一例としての圧縮コイルバネ１５１が介在されている。この圧縮コイルバネ１５１の弾性力により、被付勢部１４５が前側に常に付勢されている。これにより、第二係合片１２１と第二被係合片１２３とが非接触の状態で、規制部１４４が前延部１３９に後側から当接し、第二係合片１２１が所定の位置に停止している。
【０１００】
下カバー２の隆起部１３１における後延部１４０は、第二係合片１２２の規制部１４４と被付勢部１４５との間に進入している。そして、後延部１４０と被付勢部１４５との間には、弾性部材の一例としての圧縮コイルバネ１５１が介在されている。この圧縮コイルバネ１５１の弾性力により、被付勢部１４５が後側に常に付勢されている。これにより、第二係合片１２２と第二被係合片１２４とが非接触の状態で、規制部１４４が後延部１４０に後側から当接し、第二係合片１２２が所定の位置に停止している。
【０１０１】
第二被係合片１２３，１２４は、第三上カバー５の下面７５に設けられている。第三上カバー５の下面７５には、受け部９５の前側および後側に、それぞれ左右方向に延びる延部１６１，１６２が立設されている。延部１６１，１６２は、それぞれ受け部９５の前端および後端に接続され、第三上カバー５と一体的に形成されている。第二被係合片１２３は、前側の延部１６１の後面から突出している。第二被係合片１２３は、先細り形状に形成され、第三上カバー５が閉鎖位置に位置する状態で後下がりに傾斜する対向面１６３を有している。第二被係合片１２４は、後側の延部１６２の前面から突出している。第二被係合片１２４は、先細り形状に形成され、第三上カバー５が閉鎖位置に位置する状態で前下がりに傾斜する対向面１６４を有している。
【０１０２】
第三上カバー５が図５に示される開放位置から図４に示される閉鎖位置に回動されると、その回動の途中で、第二被係合片１２３，１２４がそれぞれ第二係合片１２１の当接部１４６および第二係合片１２２の当接部１４６に当接する。第三上カバー５がさらに回動されると、第二係合片１２１，１２２の当接部１４６がそれぞれ第二被係合片１２３，１２４から力を受けて、第二係合片１２１，１２２がそれぞれ後側および前側に回動する。そして、第三上カバー５が閉鎖位置に達すると、第二被係合片１２３，１２４がそれぞれ第二係合片１２１，１２２の当接部１４６の下側に潜り込み、各当接部１４６の当接面１４９と第二被係合片１２３の対向面１６３および第二被係合片１２４の対向面１６４とが当接する。これにより、対向面１６３，１６４が当接面１４９から圧縮コイルバネ１５１の弾性力を受け、第二係合片１２１，１２２と第二被係合片１２３，１２４とが係合し、第三上カバー５が閉鎖位置に保持される。第二係合片１２１，１２２と第二被係合片１２３，１２４により、第二係合部の一例が構成されている。
【０１０３】
＜補強部材＞
【０１０４】
また、画像読取装置１は、図４および図５に示されるように、補強部材１７１を備えている。補強部材１７１は、下カバー２に設けられている。具体的には、下カバー２の隆起部１３１には、凹部１３３，１３４の下側に、上下方向に延びる係合壁部１７２が形成されている。係合壁部１７２の右面には、挿通部１７３が突出して形成されている。補強部材１７１は、係合壁部１７２の右側に配置されている。補強部材１７１は、板金を屈曲して形成されており、前後方向および左右方向に延びる基部１７４と、基部１７４の左端から上側に延びる立ち上がり部１７５とを一体的に備えている。立ち上がり部１７５には、左右方向に貫通する貫通孔１７６が形成されている。貫通孔１７６に、挿通部１７３が挿通されることで、補強部材１７１は、下カバー２に取り付けられている。
【０１０５】
＜下当接部＞
【０１０６】
また、画像読取装置１は、図６および図７に示されるように、２個の下当接部１８１，１８２を備えている。下当接部１８１，１８２は、下カバー２の左端部において、前後方向に間隔を空けて配置されている。下当接部１８１，１８２は、下カバー２と一体的に形成され、下カバー２内で上側に突出する突起状をなしている。
【０１０７】
第三上カバー５が図５に示される開放位置から図４に示される閉鎖位置に回動されると、その回動の途中で、巻バネ９１，９２の他端部１０３がそれぞれ下当接部１８１，１８２に当接する。第三上カバー５がさらに回動されると、巻バネ９１，９２の他端部１０３がそれぞれ下当接部１８１，１８２から上向きの力を受け、巻バネ９１，９２の他端部１０３が上側に持ち上げられる。これにより、巻バネ９１，９２の他端部１０３が上当接部９３，９４の下板部１０６から上側に離間し、巻バネ９１，９２からの負荷が下板部１０６にかからない状態となる。
【０１０８】
＜作用効果＞
【０１０９】
以上のように、反転ローラ５６等を支持する下カバー２には、搬送経路４１を覆う第三上カバー５が取り付けられている。第三上カバー５は、その左端部に設定された回動軸線Ｒを中心に、下カバー２に対して開いた開放位置と閉じた閉鎖位置との間で回動可能に設けられている。第一係合片７６，７７および第一被係合片７８により、下カバー２および第三上カバー５が第三上カバー５の右端部側において連結され、第三上カバー５が閉鎖位置に保持される。また、第一係合片７６，７７および第一被係合片７８とは別の第二係合片１２１，１２２および第二被係合片１２３，１２４により、下カバー２および第三上カバー５が連結され、第三上カバー５が閉鎖位置に保持される。
【０１１０】
反転ローラ５６および従動ローラ５７は、互いに平行をなす回動軸線を中心に回動可能に設けられている。反転ローラ５６には、駆動力が入力される。従動ローラ５７は、その周面が反転ローラ５６の周面に接触可能に設けられ、巻バネ９１，９２により反転ローラ５６に向けて付勢されている。
【０１１１】
巻バネ９１，９２に生じる反力を受けるために、受け部９５が第三上カバー５の回動軸線Ｒと第一係合片７６，７７との間に設けられている。そして、第二係合片１２１，１２２および第二被係合片１２３，１２４は、第三上カバー５の回動軸線Ｒまたは第一係合片７６，７７の少なくとも一方よりも受け部９５に近い位置において、第三上カバー５に対して巻バネ９１，９２の巻回部１０１に生じる反力と逆向きの力を付与している。これにより、巻バネ９１，９２の巻回部１０１の反力が受け部９５を介して第三上カバー５に加わるが、第三上カバー５における受け部９５に近い部分が当該反力の向きと逆向きに引っ張られるので、第三上カバー５の変形を抑制できる。
【０１１２】
第二係合片１２１，１２２は、下カバー２に設けられ、第三上カバー５に向けて延出している。第二被係合片１２３，１２４は、第三上カバー５に設けられ、閉鎖位置において、第二係合片１２１，１２２と係合する。
【０１１３】
そのため、第二係合片１２１，１２２と第二被係合片１２３，１２４との係合により、第三上カバー５を閉鎖位置に保持することができる。
【０１１４】
第二係合片１２１，１２２は、第二被係合片１２３，１２４に当接可能な当接面１４９を有し、第二被係合片１２３，１２４は、当接面１４９に対向する対向面１６３，１６４を有する。第三上カバー５が閉鎖位置にある場合に、当接面１４９から第二被係合片１２３，１２４の対向面１６３，１６４に向かう方向に、第二係合片１２１，１２２を弾性的に付勢する圧縮コイルバネ１５１を備えている。
【０１１５】
そのため、第三上カバー５が閉鎖位置に位置する状態において、圧縮コイルバネ１５１により、第二係合片１２１，１２２の当接面１４９が第二被係合片１２３，１２４の対向面１６３，１６４に向かう方向に弾性的に付勢される。これにより、第二係合片１２１，１２２の当接面１４９と第二被係合片１２３，１２４の対向面１６３，１６４とを弾性的に当接させることができる。その結果、第二係合片１２１，１２２と第二被係合片１２３，１２４との係合状態を良好に維持することができ、第三上カバー５を閉鎖位置に良好に保持することができる。
【０１１６】
また、圧縮コイルバネ１５１を設けた構成では、長期間にわたり、第二係合片１２１，１２２と第二被係合片１２３，１２４との係合状態を良好に維持することができる。
【０１１７】
圧縮コイルバネ１５１は、第二係合片１２１，１２２と第二被係合片１２３，１２４とが係合していない状態において、第二係合片１２１，１２２を所定の力で付勢している。第二係合片１２１，１２２は、第二被係合片１２３，１２４と係合していない状態において、所定の位置より付勢方向に移動しないように、すなわち、第二係合片１２１においては、規制部１４４の前側の面と前延部１３９の後側の面とが当接する位置より前側に移動しないように、第二係合片１２２においては、規制部１４４の後側の面と後延部１４０の前側の面とが当接する位置より後側に移動しないように構成されている。
【０１１８】
そのため、第二係合片１２１，１２２と第二被係合片１２３，１２４とが係合していない状態において、第二係合片１２１，１２２が所定の位置に位置する。これにより、第三上カバー５が開放位置から閉鎖位置に移動されるときに、第二係合片１２１，１２２と第二被係合片１２３，１２４とを良好に当接させることができる。そして、第二係合片１２１，１２２と第二被係合片１２３，１２４との当接の直後から、圧縮コイルバネ１５１の弾性力を第二係合片１２１，１２２と第二被係合片１２３，１２４との係合に作用させることができる。その結果、第二係合片１２１，１２２と第二被係合片１２３，１２４とを良好に係合させることができる。また、第二係合片１２１，１２２のクリープ変形を抑制できる。
【０１１９】
第二係合片１２１，１２２は、下カバー２および第三上カバー５の一方に揺動可能に支持されている。
【０１２０】
そのため、第二係合片１２１，１２２の揺動によって、第二係合片１２１，１２２と第二被係合片１２３，１２４とが係合し、その係合が解除される。第二係合片１２１，１２２と第二被係合片１２３，１２４との係合およびその解除に伴って、第二係合片１２１，１２２の弾性変形および復元が繰り返されることを抑制できる。その結果、第二係合片１２１，１２２の塑性変形、ひいては疲労による破壊を抑制できる。
【０１２１】
巻バネ９１，９２は、前後方向に間隔を空けて複数配置され、第二係合片１２１，１２２と第二被係合片１２３，１２４は、前後方向において、最も外側に位置する巻バネ９１，９２の外側に配置されている。
【０１２２】
この場合、第二係合片１２１，１２２および第二被係合片１２３，１２４により、複数の巻バネ９１，９２から受け部９５を介して第三上カバー５に加わる反力を統括的に受けることができる。その結果、第三上カバー５の変形を効果的に抑制することができる。
【０１２３】
第二係合片１２１，１２２および第二被係合片１２３，１２４は、左右方向において、受け部９５と重なる位置に配置されている。
【０１２４】
そのため、第三上カバー５が左右方向の中央部において巻バネ９１，９２の反力の方向に凸湾曲する変形を効果的に抑制することができる。
【０１２５】
巻バネ９１，９２は、第三上カバー５が閉鎖位置に位置する状態において、一端部１０２が従動ローラ５７の回転軸８８に当接し、他端部１０３が下カバー２の下当接部１８１，１８２に当接し、巻回部１０１が受け部９５の下側に設けられた板金部材９６に当接している。
【０１２６】
そのため、巻バネ９１，９２の一端部１０２により、従動ローラ５７の回転軸８８を付勢することができる。
【０１２７】
巻バネ９１，９２は、第三上カバー５が開放位置に位置する状態において、巻バネ９１，９２の他端部１０３が下カバー２の下当接部１８１，１８２から離間して第三上カバー５の上当接部９３，９４に当接する。
【０１２８】
そのため、第三上カバー５が開放位置に位置する状態において、巻バネ９１，９２の他端部１０３が自由な状態になることを抑制でき、巻バネ９１，９２の他端部１０３を一定の位置に位置させることができる。一方、第三上カバー５が閉鎖位置に位置する状態では、巻バネ９１，９２の他端部１０３が下カバー２に当接するので、巻バネ９１，９２の他端部１０３から第三上カバー５に力が加わることを抑制できる。これにより、巻バネ９１，９２の他端部１０３が第三上カバー５に常に当接している構成と比較して、巻バネ９１，９２の他端部１０３から第三上カバー５に加えられる力による第三上カバー５の変形を抑制することができる。
【０１２９】
板金部材９６が、受け部９５と巻バネ９１，９２との間に介在されている。
【０１３０】
板金部材９６は、剛性を有するので、巻バネ９１，９２からの反力による第三上カバー５の変形を一層、抑制できる。また、巻バネ９１，９２と第二係合片１２１，１２２および第二被係合片１２３，１２４とが前後方向に離れていても、板金部材９６がその方向に長く形成されているので、第三上カバー５の変形を良好に抑制することができる。
【０１３１】
補強部材１７１が下カバー２に設けられている。そして、補強部材１７１は、前後方向に延び、一部が左右方向において第二係合片１２１，１２２および第二被係合片１２３，１２４と重なる位置に配置されている。
【０１３２】
そのため、第二係合片１２１，１２２を下カバー２における補強部材１７１により強度が増した部分に設けることができる。これにより、第二係合片１２１，１２２を安定した状態に設けることができる。
【０１３３】
補強部材１７１は、上下方向に延びる係合壁部１７２を有し、係合壁部１７２には、左右方向に貫通する貫通孔１７６が形成されており、下カバー２は、貫通孔１７６に挿通される挿通部１７３を備えている。
【０１３４】
そのため、第二係合片１２１，１２２から下カバー２に加わる力を補強部材１７１で受けることができる。その結果、第二係合片１２１，１２２から下カバー２に加わる力による下カバー２の変形を抑制することができる。
【０１３５】
＜変形例＞
【０１３６】
以上、本発明の一実施形態について説明したが、本発明は、他の形態で実施することもできる。
【０１３７】
たとえば、第二係合片１２１，１２２に代えて、図１１および図１２に示される第二係合片２０１が採用されてもよい。また、圧縮コイルバネ１５１に代えて、図１１および図１２に示される巻バネ２０２が採用されてもよい。
【０１３８】
第二係合片２０１は、下カバー２に一体的に形成されている。上記実施形態における第二係合片１２１に代えて採用され得る第二係合片２０１と、第二係合片１２２に代えて採用され得る第二係合片２０１とは、前後対称な構成を有するので、以下では、後側の第二係合片１２２に代えて採用され得る第二係合片２０１を取り上げて、その構成について説明する。
【０１３９】
第二係合片２０１は、板状部２０３および当接部２０４を備えている。
【０１４０】
板状部２０３は、隆起部１３１の後端部から上側に延びている。
【０１４１】
当接部２０４は、板状部２０３の上端部の後面から後側に突出している。当接部２０４は、前下がりに傾斜する平面からなる当接面２０５を備えている。
【０１４２】
巻バネ２０２は、金属線材を巻回して形成され、コイル状の巻回部２０６と、巻回部２０６から延びる一端部２０７および他端部２０８とを一体的に備えている。一端部２０７は、図１３に示されるように、巻回部２０６から上側に延び、先端部が右側に屈曲している。他端部２０８は、巻回部２０６から上側に延び、左側に屈曲して延び、後側にさらに屈曲して延び、先端部が右側に屈曲して延びている。そして、一端部２０７と他端部２０８とが近づけられて、他端部２０８の先端部が一端部２０７に後側から当接している。
【０１４３】
この状態で、巻バネ２０２は、図１１および図１２に示されるように、第二係合片２０１と隆起部１３１に第二係合片２０１の前側に間隔を空けて形成された対向部２０９との間に介在されている。巻バネ２０２の一端部２０７は、第二係合片２０１に当接し、他端部２０８は、対向部２０９に当接している。一端部２０７に他端部２０８の先端部が後側から当接しているので、第二係合片２０１に第二被係合片１２３，１２４（図８参照）が非接触の状態では、第二係合片２０１は、巻バネ２０２により、ほぼ付勢されないか、弱い弾性力で付勢されている。
【０１４４】
第三上カバー５が図５に示される開放位置から図４に示される閉鎖位置に回動されると、その回動の途中で、第二被係合片１２３，１２４がそれぞれ第二係合片２０１の当接部２０４に当接する。第三上カバー５がさらに回動されると、図１４および図１５に示されるように、第二係合片２０１の当接部２０４がそれぞれ第二被係合片１２３，１２４から力を受けて、第二係合片２０１がそれぞれ後側および前側に湾曲する。これにより、巻バネ２０２の一端部２０７および他端部２０８が互いに近づき、巻バネ２０２の弾性力が強まる。そして、第三上カバー５が閉鎖位置に達すると、第二被係合片１２３，１２４がそれぞれ第二係合片１２１，１２２の当接部２０４の下側に潜り込み、各当接部２０４の当接面２０５と第二被係合片１２３の対向面１６３および第二被係合片１２４の対向面１６４とが当接する。これにより、対向面１６３，１６４が当接面２０５から巻バネ２０２の弾性力を受け、第二係合片２０１と第二被係合片１２３，１２４とが係合し、第三上カバー５が閉鎖位置に保持される。この構成では、第二係合片２０１および第二被係合片１２３，１２４が第二係合部の一例をなす。
【０１４５】
その他、前述の構成には、特許請求の範囲に記載された事項の範囲で種々の設計変更を施すことが可能である。
【符号の説明】
【０１４６】
１      画像読取装置
２      下カバー
５      第三上カバー
４１    搬送経路
５５    イメージセンサモジュール
５６    反転ローラ
５７    従動ローラ
７６    第一係合片
７７    第一係合片
７８    第一被係合片
８１    回動軸
９１    巻バネ
９２    巻バネ
９５    受け部
９６    板金部材
１０１  巻回部
１０２  一端部
１０３  他端部
１２１  第二係合片
１２２  第二係合片
１２３  第二被係合片
１２４  第二被係合片
１４９  当接面
１５１  圧縮コイルバネ
１６３  対向面
１６４  対向面
１７１  補強部材
１７３  挿通部
１７５  立ち上がり部
１７６  貫通孔
２０２  巻バネ
Ｒ      回動軸線
Ｓ      シート
【図１】
2015122555.tif 000003
【図２】
2015122555.tif 000004
【図３】
2015122555.tif 000005
【図４】
2015122555.tif 000006
【図５】
2015122555.tif 000007
【図６】
2015122555.tif 000008
【図７】
2015122555.tif 000009
【図８】
2015122555.tif 000010
【図９】
2015122555.tif 000011
【図１０】
2015122555.tif 000012
【図１１】
2015122555.tif 000013
【図１２】
2015122555.tif 000014
【図１３】
2015122555.tif 000015
【図１４】
2015122555.tif 000016
【図１５】
2015122555.tif 000017